(57)【要約】【課題】  携帯端末装置を使用して、携行品の持ち忘れを検出し、携帯端末装置を使用しているユーザに対して報知する通信システムを提供する。【解決手段】  本発明の忘れ物防止システムは、携行品に取付けた非接触ＩＣタグの携行品識別情報を予め携帯端末装置に登録して、設定時刻になった時に携帯端末装置が自動的にその登録された携行品を携帯しているかチェックする。携帯していない場合は、携帯端末装置に携行品を携帯していない旨を知らせることで、携帯端末装置を所有するユーザに携行品の持ち忘れを防止することができる。また、ここで、携帯しているか否かの判断は、携行品に取付けた非接触ＩＣタグと通信できるか否かで判断を行う。通信できる場合は、携行品が携帯端末装置の近辺にある、つまり、携行品を携帯していると判断する。通信できない場合は、携行品が携帯端末装置の近辺にない、つまり、携行品を携帯していないと判断する。【選択図】  図４
2005085192.tif 000002
【特許請求の範囲】
【請求項１】
物品情報を記憶するメモリ機能を備えたメモリ機能付き無線通信装置と、前記メモリ機能の識別情報を読み取れる読取部を備えた携帯端末装置とを備えた通信システムであって、
前記携帯端末装置は、前記メモリ機能に格納された識別情報を予め登録できる格納部と、
前記読取部で無線通信装置の識別情報を読み取った際に、前記格納部に格納された識別情報を全て読み取ったか否かを判断する判断部を備え、
前記判断部が格納部に格納された識別情報を全て読み取っていないと判断した場合に、その旨を携帯端末装置に報知することを特徴とする通信システム。
【請求項２】
請求項１記載の通信システムにおいて、前記報知は、携帯端末装置のブザーによる音声の出力、ＬＥＤの点灯、及び携帯端末装置の振動、携帯端末装置に備えられた表示部への表示であることを特徴とする通信システム。
【発明の詳細な説明】
【技術分野】
【０００１】
本発明は、携帯端末装置を使用して、携行品の持ち忘れを検出し、携帯端末装置を使用しているユーザに対して報知する通信システムに関する。
【背景技術】
【０００２】
従来、携帯品及び携帯品を保持する携帯者の双方に、無線通信機を設けておき、これらの無線通信機が互いに通信不能になった場合に警報を発するシステムが提案されている（特許文献１参照）。これにより、携帯者は、携帯品を置き忘れそうな場合に警報を受けることができ、忘れ物を防止することができる。
【０００３】
【特許文献１】特許第３０５１７３０号明細書
【発明の開示】
【発明が解決しようとする課題】
【０００４】
しかしながら、上記システムにおいては、単に携行品の置き忘れを防止するためのシステムであって、連行品の持ち忘れに対しては対応できない。
【０００５】
本発明は、上述の問題を解消し、携帯端末装置を使用して、携行品の持ち忘れを検出し、携帯端末装置を使用しているユーザに対して報知する通信システムを提供することを目的とする。
【課題を解決するための手段】
【０００６】
本発明の請求項１記載の通信システムは、物品情報を記憶するメモリ機能を備えたメモリ機能付き無線通信装置と、前記メモリ機能の識別情報を読み取れる読取部を備えた携帯端末装置とを備えた通信システムであって、前記携帯端末装置は、前記メモリ機能に格納された識別情報を予め登録できる格納部と、前記読取部で無線通信装置の識別情報を読み取った際に、前記格納部に格納された識別情報を全て読み取ったか否かを判断する判断部を備え、前記判断部が格納部に格納された識別情報を全て読み取っていないと判断した場合に、その旨を携帯端末装置に報知することを特徴とする。
【０００７】
本発明の請求項２記載の通信システムは、請求項１記載の通信システムにおいて、前記報知は、携帯端末装置のブザーによる音声の出力、ＬＥＤの点灯、及び携帯端末装置の振動、携帯端末装置に備えられた表示部への表示であることを特徴とする。
【発明の効果】
【０００８】
本発明の通信システムによれば、携帯端末装置を使用して、携行品の持ち忘れを検出し、携帯端末装置を使用しているユーザに対して報知するため、携行品の持ち忘れを防止することができる。
【発明を実施するための最良の形態】
【０００９】
以下、実施例を通じて本発明を説明するが、以下の実施例は請求項に係る発明を限定するものではなく、また実施例の中で説明されている特長の組み合わせの全てが発明の解決手段に必須であるとは限らない。
【実施例１】
【００１０】
図１は、本発明の通信システムの一例である忘れ物防止システムの機能ブロック図を示す。忘れ物防止システムは、無線通信を行う第１無線通信装置の一例である携帯端末装置１と、それぞれが携帯端末装置１と無線通信を行う第２無線通信装置の一例である非接触ＩＣタグを備えた携行品２−１〜２−ｎとを備える。携行品２−１〜２−ｎに取付けられた非接触ＩＣタグは、携行品に取付けられた非接触ＩＣタグを識別する携行品識別情報を、携帯端末装置１に対して送信する発信部を有している（図示せず）。
【００１１】
また、本発明に用いられる非接触ＩＣタグ付き携行品について、外部装置（例えば携帯端末装置）とのデータ通信を非接触で行うメモリ機能には、「非接触ＩＣタグ」、「非接触データキャリア」、「無線ＩＣタグ」、「非接触ＩＣ」、「非接触ＩＣラベル」、「ＲＦＩＤタグ」、「共振タグ」等と、種々の名称で表現される場合もあるので、本発明においては、代表して「非接触ＩＣタグ」と表現し、前記のように表現されている名称のものも包含するものとする。
【００１２】
本発明の忘れ物防止システムは、携行品に取付けた非接触ＩＣタグの携行品識別情報を予め携帯端末装置に登録して、設定時刻になった時に携帯端末装置が自動的にその登録された携行品を携帯しているかチェックする。携帯していない場合は、携帯端末装置に携行品を携帯していない旨を知らせることで、携帯端末装置を所有するユーザに携行品の持ち忘れを防止することができる。また、ここで、携帯しているか否かの判断は、携行品に取付けた非接触ＩＣタグと通信できるか否かで判断を行う。通信できる場合は、携行品が携帯端末装置の近辺にある、つまり、携行品を携帯していると判断する。通信できない場合は、携行品が携帯端末装置の近辺にない、つまり、携行品を携帯していないと判断する。
【００１３】
このような処理を行うことで、例えば、ビジネスの場面の会議等では、重要な資料等に非接触ＩＣタグを取り付け、この非接触ＩＣタグ情報と会議前の出発時間を予め携帯端末装置に登録していれば、出発時間になった時に重要な資料等を携行しているか否かをチェックすることができ、重要な資料等の持ち忘れを防ぐことができる。また、学童等に対しては、その日の授業に必要な教科書及びノート等に非接触ＩＣタグを取り付け、この非接触ＩＣタグ情報と出発時間と授業の時間割を予め携帯端末装置に登録していれば、出発時間になった時にその日の時間割通りの教科書及びノートを携行しているか否かをチェックすることができ、その日の時間割通りの教科書及びノートの持ち忘れを防ぐことができる。
【００１４】
次に、本発明の携帯端末装置の具体的構成について説明する。図２は、本発明に関わる携帯端末装置の構成を示す図である。図２の携帯端末装置は、基地局から電波を受けるアンテナ１１と、前記アンテナ１で受けた電波の受信及び送信を行う無線回路部１２と、音声を出力するスピーカー１３と、電話番号や本体のソフトウェアを記憶するメモリ１４と、信号処理など制御を行う制御部１５と、現在の日付及び時刻並びに曜日を管理するタイマ部１６と、非接触ＩＣタグに記憶されたタグ情報を読み取る読取部１７と、画像情報の表示を行う表示部１８と、押下された操作キー入力を行う入力部１９と、音声を入力するマイク２０から構成されている。
【００１５】
メモリ４は、通信（通話やメールの送受信）等に係る制御プログラムや各種機能を実行するプログラムが記憶されると共に、携行品に取付けた非接触ＩＣタグ識別情報を含む各種データが記憶されるようになっている。
【００１６】
制御部５は、読取情報解析部３１と、識別情報登録部３２と、タイマ設定部３３と、比較指示部３４とが備えられている。読取情報解析部３１は、情報読取部１７で読み取った非接触ＩＣタグ情報（本発明では、識別情報が記憶されている）を解析する処理部である。また、識別情報登録部５２は、携行品とそれに取付けるための非接触ＩＣタグとその識別コードが対応づけられたテーブル情報をメモリ１４に登録するための処理を行う処理部である。このテーブル情報に関しては後述で詳細に説明する。タイマ設定部３３は、タイマ設定部３３に登録された時間を通知する処理部である。例えば、携行品の持ち運び時間等を登録することで、連行品の持ち運び時間になったことを携帯端末装置に知らせることができる。この時間になった時に、携帯端末装置１は、携行品に取り付けられた非接触ＩＣタグ情報を読み出す処理を行うことができる。判断指示部３４は、情報読取解析部３１で解析された携行品に取付けられた非接触ＩＣタグの各識別コードと、識別情報登録部３２に登録されたテーブル情報内全ての識別コードとが対応しているか否かの判断を行い、対応してない場合はその旨を携帯端末装置の所有ユーザに知らせる指示を行う処理部である。ここで、対応してない場合の携帯端末装置の所有ユーザに知らせる方法としては、例えば、ブザーによる音声の出力、ＬＥＤの点灯、及び携帯端末装置の振動により報知することができる。更に、表示部に１８に対応していない旨の表示も行ってもよい。
【００１７】
次に、携帯端末装置１のメモリ１４に格納されているテーブル情報について説明する。図３は、メモリに格納されたテーブル情報の一例を示す図である。メモリ１４は、携行品に備えつけられた無線通信装置（非接触ＩＣタグ）２−１〜ｎのそれぞれの識別コードを格納する識別情報格納フィールドと、無線通信装置２−１〜ｎのそれぞれが貼付される携行品の物品名を格納する物品名フィールドとを有する。ここで、物品名や識別コードのメモリ１４への登録は、携帯端末装置１の入力部１９を操作することで行うことができる。
【００１８】
無線通信装置２−１は、例えば、書類１に貼付されており、無線通信装置２−１における発信部は、携帯端末装置１に対して、識別コードであるＡを送信する。携帯端末装置１は、送信されてきた識別情報（コード）を解析して、書類１であることを確認する。このようにして、携帯端末装置１と無線通信装置のデータのやり取りによって、無線通信装置の各識別情報を読み取っていく。また、読み取りの際に、テーブル情報に格納された全ての識別情報を携帯端末装置１で読み取れなかった場合は、ブザーによる音声の出力、ＬＥＤの点灯、及び携帯端末装置の振動により報知し、更に、読み取れなかった識別情報に対応する物品名を携帯端末装置１の表示部１８に表示する。こうすることで、携帯端末装置を所有しているユーザは、携行品の何を携帯し忘れているかを知ることが可能となる。
【００１９】
最後に、携行品の忘れ物防止のための携帯端末装置の処理について説明する。図４は、本発明の携帯端末装置の処理の動作フローを示す図である。まず、携帯端末装置１は、予め設定された時間が経過すると（Ｓ１）、近辺の物品に取付けられた非接触ＩＣタグの情報の読み出しを行う（Ｓ２）。次に、メモリ１４のテーブル情報に格納されていない識別情報を読み取ったか否かを判断する（Ｓ３）。読み取った場合は、その識別情報をブザーによる音声の出力、ＬＥＤの点灯、及び携帯端末装置の振動により報知し（Ｓ５）、更に、読み取った識別情報を携帯端末装置１の表示部１８に表示する等の処理を行う。読み取れなかった場合は、メモリ１４のテーブル情報に格納されている識別情報を全て読み取ったか否かを判断する（Ｓ４）。全て読み取った場合は、携行品の忘れ物がないということで報知動作を行わなず、処理を終了する。全て読み取れなかった場合は、ブザーによる音声の出力、ＬＥＤの点灯、及び携帯端末装置の振動により報知し（Ｓ５）、更に、読み取れなかった識別情報に対応する物品名を携帯端末装置１の表示部１８に表示する。また、ここで、全て読み取れなかった場合は報知動作を行わないとしたが、ブザーによる音声の出力、ＬＥＤの点灯、及び携帯端末装置の振動による報知動作を行い、更に、全て読み取った旨の通知を携帯端末装置１の表示部１８に表示してもよい。
【００２０】
以上のような処理を行うことで、例えば、ビジネスの場面の会議等では、重要な資料等に非接触ＩＣタグを取り付け、この非接触ＩＣタグ情報と会議前の出発時間を予め携帯端末装置に登録していれば、出発時間になった時に重要な資料等を携行しているか否かをチェックすることができ、重要な資料等の持ち忘れを防ぐことができる。また、学童等に対しては、その日の授業に必要な教科書及びノート等に非接触ＩＣタグを取り付け、この非接触ＩＣタグ情報と出発時間と授業の時間割を予め携帯端末装置に登録していれば、出発時間になった時にその日の時間割通りの教科書及びノートを携行しているか否かをチェックすることができ、その日の時間割通りの教科書及びノートの持ち忘れを防ぐことができる。
【図面の簡単な説明】
【００２１】
【図１】本発明の通信システムの一例である忘れ物防止システムの機能ブロック図を示す。
【図２】本発明に関わる携帯端末装置の構成を示す図である。
【図３】メモリに格納されたテーブル情報の一例を示す図である。
【図４】本発明の携帯端末装置の処理の動作フローを示す図である。
【符号の説明】
【００２２】
１    携帯端末装置
２    携行品（非接触ＩＣタグ付き）
１１  アンテナ
１２  無線回路部
１３  スピーカー
１４  メモリ
１５  制御部
１６  タイマ部
１７  情報読取部
１８  表示部
１９  入力部
２０  マイク
３１  読取情報解析部
３２  識別情報登録部
３３  タイマ設定部
３４  判断指示部
【図１】
2005085192.tif 000003
【図２】
2005085192.tif 000004
【図３】
2005085192.tif 000005
【図４】
2005085192.tif 000006